(57)【要約】【課題】壁の異なる厚さに任意に適合する調整可能なモジュール式のドア枠を提供する。【解決手段】調整可能なモジュール式のドア枠は、壁Ｗの第１の（又は内側の）側面に固定される第１の顎部材１と、第１の顎部材と伸縮自在に係合可能で壁の厚さに適合する、壁の第２の（又は外側の）側面に固定される第２の顎部材２と、を有し、変化する壁の厚さに任意に調整可能に適合するドア枠を形成する。【選択図】図１
2010196466.tif 000002
【特許請求の範囲】
【請求項１】
壁の第１の側面に固定される第１の顎部材と、
前記第１の顎部材と伸縮自在又は摺動自在に係合して前記壁の厚さに適合する、前記壁の第２の側面に固定されてドア枠を形成する第２の顎部材と、を有し、
前記第１の顎部材及び前記第２の顎部材の各々が押出法によって形成される、ドア枠。
【請求項２】
前記第１の顎部材が、前記壁の第１の側面に固定される基部と、前記基部と一体的に形成される保持部と、前記第２の顎部材と伸縮自在又は摺動自在に係合するために前記保持部から二股に分かれる留め部と、を有する、請求項１に記載のドア枠。
【請求項３】
前記基部、前記保持部、及び前記留め部が、押出法によって一体的に形成されて、前記基部に第１の中空部が形成され、前記保持部に第２の中空部が形成され、前記留め部に補強中空突部が形成される、請求項２に記載のドア枠。
【請求項４】
前記第１の中空部、前記第２の中空部、又は前記補強中空突部の各々が、押出法によって一体的に形成されて、前記第１の中空部、前記第２の中空部、又は前記補強中空突部の各々を補強するための剛性箱形構造を形成する、請求項３に記載のドア枠。
【請求項５】
前記保持部が、前記第１の顎部材が押出法によって形成されるときに前記保持部の中空部に共押出しされる補強挿入部をさらに含む、請求項３又は４に記載のドア枠。
【請求項６】
前記留め部が、ドアが閉じるときに前記ドアを遅らせる補強中空突部と、前記補強中空突部に並ぶ裏当て留め具と、を有し、前記第２の顎部材と摺動自在に係合するため、前記補強中空突部と前記裏当て留め具との間に設けられた溝を有する、請求項２〜５のうちの何れか１つに記載のドア枠。
【請求項７】
前記留め部が、装飾のために前記留め部の表面に形成された少なくとも１つの切り欠きを有する、請求項２〜６のうちの何れか１つに記載のドア枠。
【請求項８】
前記第２の顎部材が、前記壁の第２の側面に固定される固定部と、当該固定部と一体的に形成され、前記壁の厚さに適合するために前記第１の顎部材の留め部に設けられた溝と伸縮自在又は摺動自在に係合可能な係止部と、を含む、請求項２〜７のうちの何れか１つに記載のドア枠。
【請求項９】
前記第１の顎部材と前記第２の顎部材との間に挿入される少なくとも１つの延長部材を有し、当該延長部材が、前記第１の顎部材の溝に伸縮自在又は摺動自在に係合可能な舌部と、当該舌部から二股に分かれ、前記第１の顎部材の補強中空突部と略一致する補強箱部及び当該補強箱部に並ぶ連結留め具を有する分岐部と、を有し、前記第２の顎部材の係止部と摺動自在に係合するため、前記補強箱部と前記連結留め具との間に設けられた溝を有する、請求項１〜８のうちの何れか１つに記載のドア枠。
【請求項１０】
前記壁上のドア枠の安定強度を向上させるため、前記第１の顎部材及び前記延長部材の各々が、前記壁の端壁と、前記顎部材又は前記延長部材の各々との間に挿入されたパッキンを有する、請求項９に記載のドア枠。
【請求項１１】
前記延長部材が、全体の装飾を向上させるため、前記補強箱部の表面に形成された少なくとも１つの切り欠きを有し、前記補強箱部と前記補強中空突部との間の隙間を偽装する、請求項９又は１０に記載のドア枠。
【請求項１２】
前記延長部材が、押出法によって既製されている、請求項９〜１１のうちの何れか１つに記載のドア枠。
【請求項１３】
第１の前記延長部材が、前記第１の顎部材の溝と摺動自在に係合可能な舌部を有し、第２の前記延長部材が、前記延長部材の溝に摺動自在に係合可能な舌部を有するとともに、前記第２の延長部材の溝を前記第２の顎部材の前記係止部に係合させ、少なくとも２つの前記延長部材が、連続して接続されるとともに前記第１の顎部材と前記第２の顎部材との間に挿入される、請求項９〜１２のうちの何れか１つに記載のドア枠。
【発明の詳細な説明】
【技術分野】
【０００１】
本発明は、調整可能なモジュール式のドア枠に関する。
【背景技術】
【０００２】
米国特許第７５３３５０３号は、本発明者によって発明された組立式ドア枠を開示している。組立式ドア枠は、戸口の右垂直側壁及び左垂直側壁にそれぞれ固定される一対のわき柱を含み、各わき柱は、壁に取り付けられたわき柱の一対の側部を覆う一対の調整可能なカバープレートを有する。
【０００３】
調整可能なカバープレートは、ショート係合部材（３１）、及びロング係合部材（３１ａ）を有し、薄い壁に適合するために提供されたとき、ショート係合部材（３１）が、わき柱の溝と係合され、他の厚い壁に適合するために提供されたとき、ロング係合部材（３１ａ）が、わき柱の溝と係合される。
【先行技術文献】
【特許文献】
【０００４】
【特許文献１】米国特許第７５３３５０３号明細書
【発明の概要】
【発明が解決しようとする課題】
【０００５】
しかし、ショート係合部材（３１）又はロング係合部材（３１ａ）は、一定の長さしか有さず、多くの工事現場で異なるドアの厚さに自由に又は任意に調整できない。
【０００６】
本発明者は、このような従来技術の課題に鑑み、異なるドアの厚さに応じて自由に調整し得るモジュール式のドア枠を発明した。
【課題を解決するための手段】
【０００７】
本発明の目的は、壁の第１の（又は内側の）側面に固定される第１の顎部材と、第１の顎部材と伸縮自在に係合可能で壁の厚さに適合する、壁の第２の（又は外側の）側面に固定される第２の顎部材と、を含み、それらによって壁の異なる厚さに任意に調整可能に適合するドア枠を形成する、調整可能なモジュール式のドア枠を提供することである。
【発明の効果】
【０００８】
本発明のドア枠は、壁の異なる厚さに自由に又は任意に調整可能に適合し、現場で簡単に取り付けられる。
【図面の簡単な説明】
【０００９】
【図１】実施形態の断面図である。
【図２】より厚い壁のために第１の顎部材と第２の顎部材との間に延長部材を挿入した変形例である。
【図３】図２より厚い壁のためのさらなる変形例である。
【発明を実施するための形態】
【００１０】
図１に示すように、実施形態のドア枠は、壁Ｗの第１の側面（又は内面）に固定される第１の顎部材１と、第１の顎部材１と伸縮自在又は摺動自在に係合可能で、壁Ｗの第２の側面（又は外面）に固定される第２の顎部材２と、を含む。
【００１１】
各顎部材１又は２は、押出法によって作られ、プラスチック材料、又は他の適切な材料から作ることができる。顎部材１、２は、本実施形態に限定されず、ドアのわき柱、又はまぐさに設けられてもよい。添付の図面で示すとおり、要素はそれらの断面図で見られる。
【００１２】
第１の顎部材１は、壁Ｗの第１の側面（又は内面）に固定される基部１１と、基部１１と一体的に形成される保持部１３と、第２の顎部材２と伸縮自在又は摺動自在に係合するため保持部１３から二股に分かれる留め部１２と、を有する。基部１１は、例えば、基部１１に設けられた釘溝１１１を通して壁Ｗに釘Ｎを固定することによって固定され、釘溝１１１を覆う化粧片Ｓを有する。
【００１３】
基部１１、保持部１３、及び留め部１２は、例えば押出法によって一体的に形成され、（断面が）台形の中空部１１０が基部１１に形成され、断面が矩形形状の中空部１３１が保持部１３に形成され、（断面が）矩形形状の補強中空突部１２０が留め部１２に形成される。
【００１４】
このような中空部１１０、中空部１３１又は補強中空突部１２０は、押出法によって一体的に形成され、顎部材１の各々の部分１１、１３、１２を補強するための剛性「箱形」構造を形づくる。
【００１５】
保持部１３は、押出法によって第１の顎部材１が形成されるとき保持部１３の中空部１３１に共押出しされる補強挿入部１３２をさらに含む。このような補強挿入部１３２は、ポリ塩化ビニル（ＰＶＣ）片を含むプラスチック片から作られてもよく、ドアヒンジＨ及び保持部１３を通して釘Ｎを壁Ｗの端壁Ｄ１に固定すると、補強挿入部１３２は、保持部１３を補強し、図１に示すように、ドアヒンジＨ、ドアＤ、及びドア枠自身の壁Ｗへの固定を安定させるのに役立つ。
【００１６】
保持部１３から二股に分かれる留め部１２は、閉じるときにドアＤを遅らせる補強中空突部１２０と、補強中空突部１２０に並ぶ裏当て留め具１２２と、を有し、第２の顎部材２と摺動自在に係合するため、補強中空突部１２０と裏当て留め具１２２との間に設けられる溝１２１を有する。
【００１７】
補強中空突部１２０は、押出法によって第１の顎部材１と一体的に形成され、矩形形状の剛性「箱」又は「フレーム」を中空突部１２０に形成し、顎部材１及びドア枠を補強する。
【００１８】
ドアを閉じるとき、ドアＤと留め部１２との間の隙間を塞ぐため、留め部１２の補強中空突部１２０に密閉部材１２３が提供される。
【００１９】
従って、留め部１２の補強中空突部１２０は、留め部１２を補強し、また、閉じたときにドアＤを抑えるための「ストッパ」として機能する。
【００２０】
中空部又は突部１１０、１３１、１２０の幾何学的形状は、本実施形態に限定されない。
【００２１】
切り欠き又は凹部Ｖが、装飾目的で留め部１２の表面に形成されてもよい。
【００２２】
第２の顎部材２は、壁Ｗの第２の側面（又は外面）に固定可能な固定部２１と、固定部２１と一体的に形成され、壁Ｗの厚さに適合するため第１の顎部材１の留め部１２に設けられた溝１２１と伸縮自在又は摺動自在に係合可能な係止部２２とを含む。固定部２１は、例えば、固定部２１に設けられた釘溝２１１を通して壁Ｗに釘Ｎを固定することによって固定され、釘溝２１１を覆う化粧片Ｓを有する。
【００２３】
第２の顎部材２も、押出法によって形成され、プラスチック材料又は他の適切な材料から作ることができる。
【００２４】
本実施形態のドア枠を壁Ｗの戸口に取り付けるとき、第１の顎部材１は壁の内側面に固定され、第２の顎部材２は、壁Ｗの厚さに一致するまで、係止部２２を第１の顎部材１の溝１２１と摺動自在又は伸縮自在に係合させ、そして壁の外側面に固定され、ドア枠と一体になる、又はドア枠を形成する。
【００２５】
第２の顎部材２の係止部２２は、第１の顎部材１の溝１２１内に隠れるため、２つの顎部材１、２の間に跡（ｔｒａｃｋ）又は隙間が表れず、ドア枠の外観が滑らかとなり、室内の装飾、又は内装効果に影響を及ぼさない。
【００２６】
第２の顎部材２の係止部２２は、自由に、又は任意に、第１の顎部材１の溝１２１と係合可能で、それによって、現場で簡単に組み立てられるように壁Ｗの異なる厚さに任意に適合する。従って、本実施形態は、自由に調整して壁の厚さに一致させることができ、直接、速く、簡単に建築現場で取り付けられる組立式ドア枠としてよく機能する。
【００２７】
顎部材１、２は、例えば、押出法又は共押出法によって既製されるので、製作及び取付費用が、大幅に削減される。
【００２８】
なお、２つの顎部材１、２は、異なるドアの厚さ、ドアの幅、又はわき柱若しくはまぐさの垂直若しくは水平の寸法に適合するように調整されてもよい。
【００２９】
図２及び３に示すように、より厚い壁のため、少なくとも１つの延長部材３が、第１の顎部材１と第２の顎部材２との間に挿入されてもよい。しかし、顎部材１、２の間に挿入される延長部材３の数は限定されない。
【００３０】
延長部材３は、第１の顎部材１の溝１２１に伸縮自在又は摺動自在に係合可能な舌部３１と、舌部３１から二股に分かれ、第１の顎部材１の補強中空突部１２０と略一致する補強箱部３２０及び補強箱部３２０に並ぶ連結留め具３２２を有する分岐部３２と、を有し、第２の顎部材２の係止部２２と摺動自在に係合するため、補強箱部３２０と連結留め具３２２との間に設けられた溝を有する。
【００３１】
図２に示すように、延長部材３の舌部３１を第１の顎部材１の溝１２１に係合させ、第２の顎部材２の係止部２２を延長部材３の溝３２１に係合させることによって、第１の顎部材１と第２の顎部材２との間に延長部材３が挿入され、図１のものより大きな厚みを有するより幅の広いドアに適合する。
【００３２】
壁Ｗ上でのドア枠の安定性又は固定強度を向上させるため、端壁Ｄ１と、裏当て留め具１２２又は連結留め具３２２との間に、パッキン又はパッドＰが挿入されてもよく、そして釘Ｎが提供され、留め具３２２又は１２２を壁Ｗの端壁Ｄ１に固定する。
【００３３】
少なくとも１つの切り欠きＶが、装飾のために補強箱部３２０の表面に形成され、全体の装飾性を向上させるため、補強箱部３２０と補強中空突部１２０との間の隙間Ｉを「偽装」（ｃａｍｏｕｆｌａｇｅ）する。
【００３４】
もしそのように１つ又は複数の切り欠きＶによって偽装されなければ、隙間Ｉは、ドア枠の全体の装飾又は外観に影響を及ぼす破断線又は損傷により生じた細い隙間として間違われる虞がある。
【００３５】
図３に示すように、第１の延長部材３及び第２の延長部材３ａは、第１の顎部材１と第２の顎部材２との間に連続して挿入され、図２に示されたものより大きな厚みを有する幅の広いドアに適合する。
【００３６】
延長部材３は、例えば押出法によって既製されてもよく、複数の延長部材３、３ａ．．．が提供されて厚い壁に適合し、広範囲の厚みの壁に対するドア枠の要求を満たす。
【００３７】
延長部材３及び３ａの各々は、第１の顎部材１の溝１２１と摺動自在に係合可能な舌部３１を有し、また、他の隣接する延長部材３の溝３２１と摺動自在に係合可能な舌部３１を有し、そして図３に示すように、複数の延長部材は、連続してつながり、第１の顎部材１と第２の顎部材２との間に挿入される。
【００３８】
同時に、延長部材３、３ａ各々の溝３２１は、第２の顎部材２の係止部２２、又は延長部材の舌部３１と摺動自在に係合可能である。
【００３９】
因みに、図３に示されるように、第１の延長部材３は、第１の顎部材１の溝１２１と摺動自在に係合可能な舌部３１を有し、第２の延長部材３ａの他の舌部３１と摺動自在に係合可能な溝３２１を有し、一方、第２の延長部材３ａは、第２の顎部材２の係止部２２と摺動自在に係合可能な溝３２１を有する。そして、２つの延長部材３、３ａは、図３に示すような厚い壁Ｗに一致するように調整されたドア枠を形成するために、２つの顎部材１、２の間に連続して挿入される。
【００４０】
本実施形態は、本発明の精神及び範囲から逸脱することなく改変してもよい。
【符号の説明】
【００４１】
１    第１の顎部材、
１１    基部、
１１０    中空部、
１１１    釘溝、
１２    留め部、
１２０    補強中空突部、
１２２    裏当て留め具、
１３    保持部、
１３１    中空部、
１３２    補強挿入部、
２    第２の顎部材、
２１    固定部、
２１１    釘溝、
２２    係止部、
３、３ａ    延長部材、
３１    舌部、
３２    分岐部、
３２０    補強箱部、
３２１    溝、
３２２    連結留め具、
Ｎ    釘、
Ｐ    パッキン、
Ｓ    化粧片、
Ｖ    凹部、
Ｗ    壁。
【図１】
2010196466.tif 000003
【図２】
2010196466.tif 000004
【図３】
2010196466.tif 000005